(57)【要約】【課題】都市部の現状である、敷地が狭く庭に植栽することが困難な市街地の住宅に、維持管理に人工エネルギーの使用を必要としない方法により、水と緑の豊かな自然環境即ち都会のオアシスを出現させること。【解決手段】住宅を造るにあたって、植栽及び貯水が可能で、かつ維持管理に自然エネルギーの利用が可能なように部材、土壌、装置を創り、それらをシステマチックに使用し、施工する。【選択図】　　図２
2004065229.tif 000002
【特許請求の範囲】
【請求項１】
特殊な部材、土壌、装置及び施工技術により住宅の居住空間を確保するとともに、建物の外壁・ベランダ・屋根を利用して創った池（５）や植物（３、４）により水と緑の環境を獲得し、その維持管理に自然エネルギーを利用する住宅構築システム。
【請求項２】
特殊な部材として、外壁・ベランダ・屋根に植栽及び通水機能を付加したプレキャストパネル（６、７、８）を使用した請求項１記載の住宅構築システム。
【請求項３】
材質がコンクリート又は木質系で、予め給水用、排水用のパイプを埋設してあるプレキャストパネル（６、７、８）。
【請求項４】
特殊な土壌として、保水性のある軽量人工土壌（１、２）を使用した請求項１記載の住宅構築システム。
【請求項５】
現場掘削残土の一部を利用して、軽量で保水性を持つように改良した軽量人工土壌（１、２）。
【請求項６】
特殊な装置として、雨水貯留供給装置及び熱量貯留供給装置（１１）とこれらの装置を稼働させる太陽エネルギー利用装置（１０）を使用した請求項１記載の住宅構築システム。
【請求項７】
地面及び屋根に降った雨水を一旦貯めて植物に少しずつ給水するための地下の雨水貯留槽（９）と給水圧力を与える屋上の池（５）よりなる雨水貯留供給装置。
【請求項８】
夏期に熱を奪い冷却源とし、冬期に熱を貯留し熱源として使用する熱量貯留供給装置（１１）。
【請求項９】
屋根の空きスペースを使い、地下の貯留槽から屋上の池に水を揚げる動力用電気及び夏の冷却源及び冬の熱源用電気を確保する太陽エネルギー利用装置（１０）。
【請求項１０】
住宅密集地における地盤掘削及びコンクリート壁構築による地下室（１２）施工から構造・植栽兼用プレキャストパネルを使った住宅築造に至る一連の施工技術。
【発明の詳細な説明】
【０００１】
【発明の属する技術分野】
本発明は、庭に植栽することの困難な、敷地の狭い住宅の外壁・屋上・ベランダに植栽し、水と緑の豊かな優れた自然環境を手に入れるために必要な部材、土壌、装置及び施工に関する技術及びそれらを統一的に利用する省エネルギー対策を含んだ総合的な土木建築技術に関する。
【０００２】
【従来の技術】
従来の住宅においては、庭と建物を別個に考え、庭は木を植えるところ、建物は人の住むところと区別してきた。また、我が国では地価が高いため、地方及び近郊を除く市街地では住宅に木を植えるに十分な敷地を確保することが困難であり、居住環境の劣化を招いている。最近一部に環境を重視した住宅も出てきたが、建物の緑化に関しては、屋上緑化と壁面緑化に分かれてビルで試験的に行われているのみで、一般住宅では熱の遮断、室内空気の循環等に部分的改良に留まり、住宅の敷地内全体を統一的に、植栽による居住環境改良の場ととらえたものはないのが現状である。
【０００３】
【発明が解決しようとする課題】
我が国の市街地住宅は敷地が狭く、庭が狭いため、植物が少なく殺風景である。庭の植物の不足を建物部分で補おうとしても、建物には植栽のスペースがなく、構造的にも後付の植栽用客土に耐えられない。また、我が国の住宅は夏冬冷暖房による空調をしているが、省エネルギーを必要とする時代の要請に適合しなくなってきている。
【０００４】
【課題を解決するための手段】
樹木の景観的効果だけでなく、土と植物と水による断熱保温効果を利用する。そのため土と建物との平面的ラップが必要であり、建物の部材を客土可能で、かつ土圧に耐えられるものとする。また、植栽基盤である土も軽量で保水性のあるものにする。建物は植栽対応構造により空間を狭められるのでその不足分を地下室築造により対処する。さらに給水の動力及び夏の冷却源・冬の熱源については太陽エネルギーを利用する。
【０００５】
【発明の実施の形態】
植栽基盤を人工改良土により確保するものとして、建物の外壁・ベランダ・屋根に人工改良土を客土する。したがって、建物の基本構造は内部に居住空間を確保でき、外部に植栽用の客土を保持できるものとする。
【０００６】
建物の基本構造はプレキャストパネルによる。パネルは壁材と屋根材に分かれ、従来型のものに植栽機能と通水機能を加え、断熱機能を高めたもので、客土と通水ができ断熱効果の期待できる形状と材質で客土の土圧に耐え得る部材強度を持つものとする。
【０００７】
プレキャストパネルは住宅密集地である現地で組み立て可能とする。車両で運搬されたパネルは設置場所までクレーンで吊り込み、現位置で人力により組み立てる。
【０００８】
植栽用客土は軽量で保水性が要求されるので、人工的に改良された土が望ましい。人工改良土の原料は現場の発生材、即ち地下室掘削時等に出る掘削残土を再利用する。改良方法は現場で残土に添加材を混合攪拌する。
【０００９】
植物の維持管理用の水は、住宅敷地内に降った雨水を貯留して用いる。貯留槽は地中に埋設し、太陽エネルギーによる発生電力により屋上の池に汲み上げ給水する。
【００１０】
太陽エネルギーは太陽光発電により取り出すこととするが、その設備である太陽電池は屋根の空きスペースに設置する。
【００１１】
地下室は当システムを支援する設備として有効であり、住居の質を上げるためには必須である。台地部であれば地下水が低く、地質も関東ロームになるのでそれほど施工は難しくないと考える。
【００１２】
地下室には太陽電池により稼働する冷却源及び熱源を設置する。
【００１３】
【実施例】
実施例について図面を参照して説明すると、図−１において植栽の基盤となる軽量人工土壌１は建物の外壁及びベランダの植栽スペースを利用して建物を取り囲む形に客土する。軽量人工土壌２は建物の屋根を利用して、スポット的に必要な場所に客土する。軽量人工土壌１及び２は軽量で保水性の有ること。植物３は外壁及びベランダに植える樹木で、樹種は夏木陰を造り、冬落葉し日向を造る落葉広葉樹とする。植物４は屋根に植える樹木で落葉広葉樹であることは植物３と同様であるが、耐乾燥性が有り強風に対する抵抗性の有る樹種とする。５は池であり、植物とともに環境のオアシス化に資するとともに給水に圧力をかける装置として機能する。
【００１４】
図２に示される実施例では、外壁６・ベランダ７・屋根８は構造的な強さと植物の基盤となる軽量人工土壌１及び２を定着させるプランター機能を併せ持つ構造とする。また、軽量人工土壌と一体化して断熱効果を持つものとする。但し、外壁６が鉛直構造を基本とするのに対して、ベランダ７及び屋根８は水平構造を基本とする。９は雨水貯留槽で、雨水を貯留し、植物に供給する。集水範囲は敷地全域として、大雨のとき余分な水を外に出さない（流出抑制効果）程度の容量を持たせる。１０は雨水貯留槽から植物に給水するときの動力源及び夏季地下の冷却源、冬季の熱源への電力供給装置である。地下室１２は狭い敷地の中で空間を有効利用するための手段である。冷却源及び熱源１１は太陽エネルギーを太陽電池により電気エネルギーに変換し、さらに熱交換して貯め、夏は冷やし、冬は暖めることとする。
【００１５】
【発明の効果】
本発明は、以上説明したような形態で実施され、以下に記載されるような効果を奏する。
【００１６】
狭い敷地の住宅に、水のある緑陰を得る。即ち、住人は家に居ながらにして、公園に居る心地を得ることが出来る。
【００１７】
植物と土の断熱効果により、外気温の変化に敏感に反応しない年間安定した室内外の温度環境を得る。
【００１８】
太陽電池を介して、地下に冷却源と熱源を確保し、年間の温度変化が少なくなる室内温度環境を得る。
【００１９】
洪水時の雨水の貯留により、都市の総合的な治水対策の一助となる。
【００２０】
面的な広がりを得るようになれば、都市問題の一つであるヒートアイランドに対する抑制効果となる。
【００２１】
市街地住宅地に水と緑の環境が戻り、そこに住む市民の精神衛生に良い影響を与える。
【図面の簡単な説明】
【図１】本システムの平面図である。
【図２】本システムの断面図である。
【符号の説明】
１軽量人工土壌（外壁・ベランダ用）
２軽量人工土壌（屋根用）
３植物（外壁・ベランダ用）
４植物（屋根用）
５池
６プレキャストパネル（外壁）
７プレキャストパネル（ベランダ）
８プレキャストパネル（屋根）
９雨水貯留槽
１０太陽エネルギー利用装置（太陽電池）
１１熱量貯留供給装置（冷却源及び熱源）
１２地下室
【図１】
2004065229.tif 000003
【図２】
2004065229.tif 000004